(57)【特許請求の範囲】
【請求項１】
遊技盤上に遊技球が転動流下する遊技領域を区画形成し、前記遊技領域に入賞口を配置し、前記入賞口の上方に装飾部材を配置した遊技機において、
前記装飾部材は、
前記遊技領域から誘導された遊技球を受けて転動させる第１転動面をその上部に有し、前記遊技球を放出する複数の第１球放出部を有し、上方向に突出するとともに前記複数の第１球放出部を避けるように配置された縁部を前端部に有する第１ステージと、
前記第１ステージの下方に配置され、前記第１球放出部から放出された遊技球が誘導され、前記第１球放出部から放出された遊技球を受けて転動させる第２転動面をその上部に有し、前記遊技球を前記遊技領域に放出する複数の第２球放出部を有する第２ステージと、
前記第２ステージの前端側に配置され、上方向に突出する遊技球落下阻止部と
を備え、
前記第１転動面は、凸部及び凹部からなる起伏形状をなしており、
前記凸部及び前記凹部は前記第１球放出部をそれぞれ有し、
前記凸部の有する前記第１球放出部及び前記凹部の有する前記第１球放出部は、前面側から見て凹状をなし、前側に行くに従って幅広になるとともに低くなる形状をなしており、
前記凹部の有する前記第１球放出部は、前記凸部の有する前記第１球放出部よりも幅広に設定され、
前記複数の第２球放出部のうちの少なくとも１つの第２球放出部から放出された遊技球は、他の第２球放出部から放出された遊技球よりも高確率で前記入賞口に入球しうるとともに、前記凸部の有する前記第１球放出部から放出された遊技球は、前記高確率で前記入賞口に入球しうる第２球放出部に対して、前記凹部の有する前記第１球放出部から放出された遊技球よりも高確率で導かれ、
前記凸部の有する前記第１球放出部と前記高確率で前記入賞口に入球しうる前記第２球放出部とが左右方向に一致した位置に設けられ、前記凹部の有する前記第１球放出部と前記他の第２球放出部とが左右方向に異なる位置に設けられている
ことを特徴とする遊技機。
【請求項２】
前記第２ステージの前記第２転動面には凹所が設けられ、前記凹所の底部には前記複数の第２球放出部の全てが配置され、
前記凹所は、前記第２球放出部を有する凹所部を複数備え、
前記凹所部は、外周部から前記第２球放出部に行くに従って低くなる湾曲形状をなしており、
前記複数の第２球放出部は、前記凹所部に導かれた遊技球を前記遊技領域に排出させるための球経路に連通する落下孔である
ことを特徴とする請求項１に記載の遊技機。
【請求項３】
前記凹部の有する前記第１球放出部から放出された遊技球が衝突しうる位置に、遊技球の動きに変化を与えうる球動作変化部が前記第２ステージに設けられ、
前記球動作変化部は、前記凹所の底部に対して略垂直に延びる面と前記第２転動面とが交差する段差部であり、
前記段差部の左端部は、前記凸部の左側にある前記凹部の有する前記第１球放出部の下方であって、前記凸部の左側にある前記凹部の有する前記第１球放出部に対して左側に位置しており、
前記段差部の右端部は、前記凸部の右側にある前記凹部の有する前記第１球放出部の下方であって、前記凸部の右側にある前記凹部の有する前記第１球放出部に対して右側に位置している
ことを特徴とする請求項２に記載の遊技機。
【発明の詳細な説明】
【技術分野】
【０００１】
本発明は、パチンコ機やアレンジボール機などの遊技機に関するものであり、特には遊技盤に取り付けられる装飾部材のステージ構造に特徴を有する弾球遊技機に関するものである。
【背景技術】
【０００２】
パチンコ機やアレンジボール機などの遊技機においては、機内部に配置された遊技盤上に遊技領域が区画形成され、遊技領域の略中央部に装飾部材が装着されている。そして、装飾部材の後側には、複数種類の図柄を変動表示して図柄組み合わせゲームを行う液晶式やドラム式の図柄表示装置が配設されている。また、装飾部材の下方には、遊技球が入球することにより図柄表示装置に表示される図柄の変動開始条件となる始動入賞口が配設されている。この種の遊技機では、遊技領域に発射された遊技球（パチンコ球）が始動入賞口に入球することにより、前記図柄表示装置にて図柄組み合わせゲームが開始され、リーチ演出などの遊技演出がなされるようになっている。そして、図柄表示装置にて図柄が所定の組み合わせで停止すると、遊技者に有利な特別遊技状態（いわゆる大当り）に移行するようになっている。このように、大当りとなるには始動入賞口への遊技球の入球が必要とされるため、遊技者は、図柄表示装置における図柄組み合わせゲームだけでなく、始動入賞口への遊技球の入球にも大きな関心を持って遊技を楽しんでいる。
【０００３】
そこで、始動入賞口の上方に位置する装飾部材の所要部位に、前記遊技領域から遊技球を取り込んで装飾部材の下部（いわゆるステージ）に誘導する誘導部を配設するとともに、ステージに、始動入賞口に向けて遊技球が落下する放出部を形成した遊技機が提案されている。これにより、始動入賞口への遊技球の入球を遊技者に期待させることができるとともに、ステージ上の遊技球の転動態様を遊技者に視認可能としている。
【０００４】
ところで、上下段に配置した複数のステージに、それぞれ遊技球が落下する放出部を設け、最上段のステージに、遊技球を下段側のステージのいずれかに導く連通孔を設けた遊技機が提案されている（例えば、特許文献１参照）。このようにした場合、遊技球が連通孔を通過するか否か、あるいは連通孔を通過した遊技球がどのステージに導かれるかによって、遊技球が落下する放出部が決定される。これら放出部と始動入賞口との間の上下方向の距離はステージごとに異なっているため、遊技球がどのステージの放出部から落下するかにより、始動入賞口へ入球する確率を異ならせることができる。
【特許文献１】特開２００３−２４５４５号公報
【発明の開示】
【発明が解決しようとする課題】
【０００５】
しかし、上記公報に記載された技術によると、遊技球が始動入賞口へ入球する確率を決定するために遊技球を振り分ける機会が１度しかないため、遊技球の動きに変化がなくなってその動きが単純化されてしまう。その結果、遊技が単調になるため、遊技者は、新鮮味を失って遊技を止めてしまうという問題があった。
【０００６】
本発明は上記の課題に鑑みてなされたものであり、その目的は、遊技球の動きを複雑化することによって、興趣の向上を図ることができる遊技機を提供することにある。
【課題を解決するための手段】
【０００７】
上記課題を解決するために、請求項１に記載の発明は、遊技盤上に遊技球が転動流下する遊技領域を区画形成し、前記遊技領域に入賞口を配置し、前記入賞口の上方に装飾部材を配置した遊技機において、前記装飾部材は、前記遊技領域から誘導された遊技球を受けて転動させる第１転動面をその上部に有し、前記遊技球を放出する複数の第１球放出部を有し、上方向に突出するとともに前記複数の第１球放出部を避けるように配置された縁部を前端部に有する第１ステージと、前記第１ステージの下方に配置され、前記第１球放出部から放出された遊技球が誘導され、前記第１球放出部から放出された遊技球を受けて転動させる第２転動面をその上部に有し、前記遊技球を前記遊技領域に放出する複数の第２球放出部を有する第２ステージと、前記第２ステージの前端側に配置され、上方向に突出する遊技球落下阻止部とを備え、前記第１転動面は、凸部及び凹部からなる起伏形状をなしており、前記凸部及び前記凹部は前記第１球放出部をそれぞれ有し、前記凸部の有する前記第１球放出部及び前記凹部の有する前記第１球放出部は、前面側から見て凹状をなし、前側に行くに従って幅広になるとともに低くなる形状をなしており、前記凹部の有する前記第１球放出部は、前記凸部の有する前記第１球放出部よりも幅広に設定され、前記複数の第２球放出部のうちの少なくとも１つの第２球放出部から放出された遊技球は、他の第２球放出部から放出された遊技球よりも高確率で前記入賞口に入球しうるとともに、前記凸部の有する前記第１球放出部から放出された遊技球は、前記高確率で前記入賞口に入球しうる第２球放出部に対して、前記凹部の有する前記第１球放出部から放出された遊技球よりも高確率で導かれ、前記凸部の有する前記第１球放出部と前記高確率で前記入賞口に入球しうる前記第２球放出部とが左右方向に一致した位置に設けられ、前記凹部の有する前記第１球放出部と前記他の第２球放出部とが左右方向に異なる位置に設けられていることを特徴とする遊技機をその要旨とする。
【０００８】
従って、請求項１に記載の発明によると、遊技球は、第１ステージの第１転動面を転動することによって振り分けられて、第１球放出部から放出されるだけでなく、第２ステージの第２転動面を転動することによって再度振り分けられて、第２球放出部から遊技領域に放出される。なお、第２球放出部には、遊技球が入賞口へ入球する確率が高いものと低いものとがあるため、遊技球が入賞口へ入球する確率は、遊技球がどの第２球放出部から放出されるかによって異なる。よって、遊技球が入賞口へ入球する確率は、第１ステージ及び第２ステージでそれぞれ振り分けが行われる度に変更される可能性がある。つまり、遊技球が入賞口へ入球する確率を決定する機会が複数回あるため、遊技球の動きに変化をつけることができ、その動きが複雑化される。
【０００９】
しかも、複数の第１球放出部のうち、入賞口へ入球する確率が相対的に高い第２球放出部から離間した位置にある第１球放出部から遊技球が放出された場合でも、第２ステージにて遊技球が再度振り分けられることによって、入賞口へ入球する確率が相対的に高い第２球放出部に導かれる可能性がある。そのため、遊技球が入賞口へ入球する確率が低い第１球放出部から放出されたとしても、入賞口への遊技球の入球を遊技者に期待させることができる。
【００１０】
従って、遊技者は第１ステージ上及び第２ステージ上での遊技球の動きに興味を持つことになるため、遊技者に新鮮味を与え続けることができ、興趣の向上を図ることができる。
【００１１】
「第１ステージ」及び「第２ステージ」は、装飾部材に配設された図柄表示装置の下側に配置されており、入賞口への入賞経路を構成するものである。第１ステージ及び第２ステージの上面（転動面）は、凸部及び凹部のない平坦形状をなすものであってもよいし、凸部及び凹部からなる起伏形状をなすものであってもよい。
【００１２】
なお、第１ステージは１つ設けられているだけでもよいし、上下段状に複数設けられていてもよい。このようにすれば、遊技球は、それぞれの第１ステージの第１転動面で転動して振り分けられる。その結果、遊技球の動きがよりいっそう複雑化されるため、さらなる興趣の向上を図ることができる。
【００１３】
「第１球放出部」としては、遊技球を第１ステージから放出させることが可能な形状であれば特に限定されないが、例えば、第１ステージに切欠形成した切欠部、第１ステージに設けた貫通孔などが挙げられる。なお、第１転動面に前後方向に延びる一対の突条を設け、両突条間を遊技球が通過するようにしたものなども挙げられる。なお、「第１球放出部」は、第１ステージの前端部に上方向に突設した縁部を設け、該縁部に対して切欠形成した場合にあっては、第１ステージにおいて切欠形成した部分と対応する位置に窪み部を設けたものであることが好ましい。このようにすれば、第１球放出部を有しない部分からの遊技球の放出が防止されるため、遊技球が確実に第１球放出部に振り分けられるからである。
【００１４】
「第２球放出部」としては、遊技球を第２ステージから放出させることが可能な形状であれば特に限定されないが、例えば、遊技球を装飾部材から遊技領域へと排出させるための球経路に連通する落下孔などが挙げられる。なぜなら、球経路の形状や、球経路の末端に設けられた排出口の位置を変更することにより、落下孔を通過した遊技球を遊技領域の任意の位置で排出できるからである。なお、第２球放出部は、前記第１球放出部と同一の構成であってもよいし、異なる構成であってもよい。
【００１５】
また、第２球放出部が落下孔である場合、前記落下孔の入口の外周部に、前記落下孔の中心に行くに従って低くなる急傾斜が設けられていることが好ましい。別の言い方をすると、落下孔の入口側の開口は面取りされていることがよい。このようにすれば、第１球放出部から放出された遊技球が落下孔の入口の外周部に衝突した場合、遊技球が急傾斜に沿って螺旋状に回転しながら落下孔内へと導かれる。そのため、遊技球の動きをよりいっそう複雑化することができ、さらなる興趣の向上を図ることができる。また、遊技球の動きも面白いものとなる。
【００１６】
第２球放出部は、第２ステージの第２転動面に凹所を設け、該凹所の底部に配置されることが好ましい。さらに、第２球放出部を凹所に配置する場合、第２球放出部は、第１球放出部よりも後側に配置されていることが好ましい。第２球放出部を第１球放出部よりも前側（例えば、凹所の前端部）に配置すると、第２ステージが前側に突出することにより装飾部材全体が厚くなって、遊技領域を覆うガラスと遊技盤との間に装飾部材を配置することが困難になる可能性がある。また、仮に装飾部材を配置したとしても、図柄表示装置とガラスとの距離が大きくなり、図柄表示装置が見にくくなる可能性がある。
【００１７】
また、前記複数の第２球放出部のうちの少なくとも１つの第２球放出部が設けられる位置は、入賞口との左右方向のずれが、他の第２球放出部と該入賞口との左右方向のずれよりも小さい位置であることが好ましく、特には、該入賞口と左右方向に一致した位置であることが好ましい。しかも、該入賞口との上下方向の距離が、他の第２球放出部と入賞口との上下方向の距離よりも短い位置であることが好ましい。上記のようにすれば、前記複数の第２球放出部のうちの少なくとも１つの第２球放出部から放出された遊技球は、他の第２球放出部から放出された遊技球よりも高確率で入賞口に入球しうる。また、第２球放出部は、第１球放出部よりも多くても少なくてもよいし、第１球放出部と同数であってもよい。
【００１８】
「入賞口」としては、始動入賞口、普通入賞口、大入賞口などが挙げられるが、特には始動入賞口であることが好ましい。このようにすれば、遊技球が第２球放出部から図柄組み合わせゲームの開始契機となる始動入賞口に向けて放出されるので、始動入賞口に入球した遊技球が大当りとなるのではないかという期待を遊技者に持たせることができるため、さらなる興趣の向上を図ることができる。また、始動入賞口は、装飾部材の中央部下方に配置されることが好ましい。なお、第２球放出部から放出された遊技球が入球する入賞口は、１つでもよいし、複数個配置されていてもよい。
【００１９】
請求項２に記載の発明は、請求項１において、前記第２ステージの前記第２転動面には凹所が設けられ、前記凹所の底部には前記複数の第２球放出部の全てが配置され、前記凹所は、前記第２球放出部を有する凹所部を複数備え、前記凹所部は、外周部から前記第２球放出部に行くに従って低くなる湾曲形状をなしており、前記複数の第２球放出部は、前記凹所部に導かれた遊技球を前記遊技領域に排出させるための球経路に連通する落下孔であることをその要旨とする。
【００２０】
従って、請求項２に記載の発明によると、第１球放出部から放出された遊技球が第２転動面に落下した場合、遊技球は第２転動面上を転動し、低い位置にある凹所に導かれる。また、遊技領域を転動流下する遊技球が、遊技領域に配置された釘に当たって跳ね返り、第２転動面上に導かれた場合であっても、遊技球は第２転動面上を転動し、低い位置にある凹所に導かれる。よって、第２ステージ上にある遊技球を確実に第２球放出部に導くことができる。なお、第１球放出部から放出された遊技球が直接凹所に落下した場合、遊技球が凹所に導かれているのは言うまでもない。
【００２１】
なお、「凹所」は、第２ステージの第２転動面であればどの部分に配置されていてもよいが、特には第２ステージの中央部に配置されることが好ましい。また、凹所の形状は、水平なものであってもよいが、凹凸のある起伏形状であることが好ましい。このようにすれば、遊技球の動きがよりいっそう複雑化されるため、さらなる興趣の向上を図ることができる。さらに、凹所の形状は、特定の箇所（具体的には、放出した遊技球を最も高確率で入賞口に入球させうる第２球放出部が配置されている箇所）に行くに従って低くなる形状であってもよい。このようにすれば、入賞口へ入球する確率が相対的に高い第２球放出部から離間した位置にある第１球放出部から遊技球が放出された場合でも、入賞口へ入球する確率が相対的に高い第２球放出部に遊技球が導かれる可能性がある。そのため、遊技球が入賞口へ入球する確率が低い第１球放出部から放出されたとしても、入賞口への遊技球の入球を遊技者に期待させることができる。
【００２３】
従って、請求項２に記載の発明によると、凸部の有する第１球放出部から放出された遊技球が、高確率で前記入賞口に入賞しうる第２球放出部へ導かれる確率が高くなる。即ち、凸部の有する第１球放出部から放出された遊技球が入賞口に入球する確率が高くなる。よって、凸部の有する第１球放出部から放出された遊技球が入賞口に入球するという期待が裏切られにくくなるため、興趣の低下を防止することができる。
【００２４】
ここで、「前記凸部の有する前記第１球放出部と前記第２球放出部とが左右方向に一致した位置」とは、遊技機を正面から見たときに、第２球放出部が、凸部の有する第１球放出部の直下となる位置をいう。ただし、前後方向の一致、不一致は問わない。
【００２６】
また、請求項２に記載の発明によると、第１球放出部から放出された遊技球は、直接第２球放出部に落下せずに、凹所上を転動するため、遊技球の動きをよりいっそう複雑化することができる。即ち、複数の第１球放出部のうち、入賞口へ入球する確率が相対的に高い第２球放出部から離間した位置にある第１球放出部から遊技球が放出された場合でも、遊技球が凹所上を転動して、入賞口へ入球する確率が相対的に高い第２球放出部に導かれる可能性がある。そのため、遊技球が入賞口へ入球する確率が低い第１球放出部から放出されたとしても、入賞口への遊技球の入球を遊技者に期待させることができる。
【００２７】
ここで、「前記凹部の有する前記第１球放出部と前記第２球放出部とが左右方向に異なる位置」とは、遊技機を正面から見たときに、第２球放出部が、凹部の有する第１球放出部の直下とならない位置をいう。ただし、前後方向の一致、不一致は問わない。
【００２８】
請求項３に記載の発明は、請求項２において、前記凹部の有する前記第１球放出部から放出された遊技球が衝突しうる位置に、遊技球の動きに変化を与えうる球動作変化部が前記第２ステージに設けられ、前記球動作変化部は、前記凹所の底部に対して略垂直に延びる面と前記第２転動面とが交差する段差部であり、前記段差部の左端部は、前記凸部の左側にある前記凹部の有する前記第１球放出部の下方であって、前記凸部の左側にある前記凹部の有する前記第１球放出部に対して左側に位置しており、前記段差部の右端部は、前記凸部の右側にある前記凹部の有する前記第１球放出部の下方であって、前記凸部の右側にある前記凹部の有する前記第１球放出部に対して右側に位置していることをその要旨とする。
【００２９】
従って、請求項３に記載の発明によると、凹部の有する第１球放出部から放出された遊技球が球動作変化部に衝突することにより、遊技球の勢いや移動方向に変化を与えることができるため、遊技球の動きをよりいっそう複雑化することができる。
【００３０】
なお、「前記凹部の有する前記第１球放出部から放出された遊技球が衝突しうる位置」としては、第２転動面上において凹部の有する第１球放出部から放出された遊技球が移動する部分や、凹部の有する第１球放出部から放出された遊技球の落下地点などが挙げられるが、具体的には、第２転動面において凹所が設けられている箇所と設けられていない箇所との境界部分に設定される段差部であることが好ましい。このようにすれば、遊技球が、第２転動面上を左右方向に移動しているときに球動作変化部に衝突することで、遊技球の勢いや移動方向に変化を与えることができる。
【００３１】
ここで、「球動作変化部」としては、第２転動面上に設けた突起、突条などであってもよいが、例えば、上記のように第２転動面において凹所を設けた場合には、凹所の縁にできる段差部を球動作変化部とすることがよい。
なお、前記第１ステージが透光性部材によって形成され、前記第１ステージの後側にある起立壁に、始動入賞口への遊技球の入球数を表示する発光体が設けられ、前記発光体が前記第１ステージの下側に配置されていてもよい。
【００３２】
上記課題を解決するための別の手段としては、遊技盤上に遊技球が転動流下する遊技領域を区画形成し、前記遊技領域に始動入賞口を配置し、前記始動入賞口の上方に装飾部材を配置した遊技機において、前記装飾部材は、前記遊技領域から誘導された遊技球を受けて転動させる第１転動面をその上部に有し、前記遊技球を放出する複数の第１球放出部を左右方向に異なる位置に有する第１ステージと、前記第１ステージの下方に配置され、前記第１球放出部から放出された遊技球を受けて転動させる第２転動面をその上部に有し、前記遊技球を前記遊技領域に放出する複数の第２球放出部を左右方向に異なる位置に有する第２ステージとを備え、前記第１転動面は、前記第１ステージの中央部に位置する凸部と、その凸部の左右両側に位置する凹部とからなる起伏形状をなしており、前記凸部及び前記凹部は前記第１球放出部をそれぞれ有し、前記凸部の有する前記第１球放出部と前記第２ステージの中央部に位置する前記第２球放出部とが左右方向に一致した位置に設けられ、前記凹部の有する前記第１球放出部と前記第２球放出部とが左右方向に異なる位置に設けられ、前記複数の第２球放出部のうち前記第２ステージの中央部に位置する第２球放出部が、前記始動入賞口の真上位置に存在し、他の第２球放出部が前記始動入賞口の真上位置から左右方向に離間した位置に存在していることを特徴とする遊技機がある。
【００３３】
このようにした場合、遊技球は、第１ステージの第１転動面を転動することによって振り分けられて、第１球放出部から放出されるだけでなく、第２ステージの第２転動面を転動することによって再度振り分けられて、第２球放出部から遊技領域に放出される。なお、複数の第２球放出部のうち第２ステージの中央部に位置する第２球放出部が始動入賞口の真上位置に存在し、他の第２球放出部が始動入賞口の真上位置から左右方向に離間した位置に存在しているため、第２球放出部には、遊技球が始動入賞口へ入球する確率が高いものと低いものとが存在する。ゆえに、遊技球が始動入賞口へ入球する確率は、遊技球がどの第２球放出部から放出されるかによって異なる。よって、遊技球が始動入賞口へ入球する確率は、第１ステージ及び第２ステージでそれぞれ振り分けが行われる度に変更される可能性がある。つまり、遊技球が始動入賞口へ入球する確率を決定する機会が複数回あるため、遊技球の動きに変化をつけることができ、その動きが複雑化される。
【００３４】
しかも、始動入賞口へ入球する確率が相対的に高い第２球放出部から離間した位置にある第１球放出部、即ち、凹部の有する第１球放出部から遊技球が放出された場合でも、放出された遊技球が第２ステージにて再度振り分けられることによって、始動入賞口へ入球する確率が相対的に高い第２球放出部、即ち、第２ステージの中央部に位置する第２球放出部に導かれる可能性がある。そのため、遊技球が凹部の有する第１球放出部から放出されたとしても、始動入賞口への遊技球の入球を遊技者に期待させることができる。
【００３５】
従って、遊技者は第１ステージ上及び第２ステージ上での遊技球の動きに興味を持つことになるため、遊技者に新鮮味を与え続けることができ、興趣の飛躍的な向上を図ることができる。
【発明の効果】
【００３６】
以上詳述したように、請求項１〜３に記載の発明によれば、遊技球の動きを複雑化することによって、興趣の向上を図ることができる。
【発明を実施するための最良の形態】
【００３８】
以下、本発明の遊技機をパチンコ機１０に具体化した一実施形態を図１〜図８に基づき詳細に説明する。なお本実施形態において「左」、「右」、「前」、「後」、「上」または「下」とは、図３に示した矢印の方向を指すものとする。
【００３９】
図１に概略的に示されるように、パチンコ機１０を構成する前枠１２の前面側には、機内部に配置された遊技盤１３を透視状態で保護するためのガラス枠を備えたガラス保持枠１４と上球皿１５とが、それぞれ横開き状態で開閉可能に組み付けられている。さらに、前枠１２の下部には、下球皿１６や操作手段１７などが装着されている。
【００４０】
また、遊技盤１３上には、遊技球Ａ１が転動流下する遊技領域１３ａが区画形成されている。遊技領域１３ａには、複数の釘１１や各種の役物が取り付けられている。具体的にいうと、遊技領域１３ａの略中央には、複数種類の図柄を変動表示して図柄組み合わせゲームを行う図柄表示装置１８が配設されている。図柄表示装置１８の下方には、遊技球Ａ１が入球することにより図柄表示装置１８に表示される図柄の変動開始条件となる始動入賞口１９（入賞口）が配設されている。始動入賞口１９は、図示しないソレノイドにより開閉動作を行うようになっている。また、始動入賞口１９の下方には、図示しないソレノイドにより開閉動作を行う大入賞口２０が配設されている。さらに、遊技領域１３ａには、普通入賞口２３ａ，２３ｂ，２３ｃ，２３ｄが設けられている。
【００４１】
図１に示されるように、遊技盤１３の遊技領域１３ａの略中央部にはさらにセンター役物３１（装飾部材）が配設されている。センター役物３１は始動入賞口１９の上方に配置されている。センター役物３１は、後側に配設された図柄表示装置１８を装飾するための枠状部材である。図２，図３に示されるように、センター役物３１を構成する合成樹脂製の役物本体３２には全体的に装飾が施されており、その略中央部には横長矩形状の開口部３３が設けられている。この開口部３３は、図柄表示装置１８の表示領域を露出させるべく、表示領域の形状・大きさに対応して形成されている。また、役物本体３２の外周部には、遊技盤１３への取り付けの際に遊技領域１３ａに当接されるフランジ部３４が突設されている。そして、フランジ部３４の複数箇所を図示しないネジで固定することにより、図１のように役物本体３２が遊技盤１３に取り付けられている。図２に示されるように、役物本体３２の上部中央には、可動体４１を設置するための設置スペース３５が前面側に向けて開口するように区画形成されている。その設置スペース３５の右側には、可動体４２ａ，４２ｂ，４２ｃを設置するための設置スペース３６が前面側に向けて開口するように区画形成されている。
【００４２】
図２〜図４に示されるように、役物本体３２の左下部には、遊技領域１３ａを転動流下する遊技球Ａ１（図７，図８参照）を役物本体３２の内側に誘導する誘導部４３が設けられている。誘導部４３は、上部にて開口する通過口入口４４を介して遊技領域１３ａに連通している。また、誘導部４３は、下部にて開口する通過口出口４５を介して後記する第１ステージ５１の上面側領域に連通している。
【００４３】
図３〜図６に示されるように、役物本体３２の前記開口部３３の下側部分には、遊技領域１３ａから誘導された遊技球Ａ１を振り分けるための第１ステージ５１及び第２ステージ６１がそれぞれ１段ずつ設けられている。第１ステージ５１及び第２ステージ６１は、開口部３３の下端縁に沿って左右方向に延設されている。第１ステージ５１は、遊技領域１３ａから誘導された遊技球Ａ１を受けて転動させる第１転動面５２をその上部に有している。第１転動面５２の幅（遊技機前後方向における寸法）は、遊技球Ａ１の直径よりもやや広くなっている。第１転動面５２は、中央にある凸部５３において最も高くなるとともに、凸部５３の左側にある左凹部５４ａ（凹部）及び右側にある右凹部５４ｂ（凹部）にて最も低くなっており、全体として曲線的な起伏形状をなしている。
【００４４】
図３〜図６に示されるように、第１ステージ５１の前端部には、上方向に突出する縁部５７が設けられている。縁部５７は、凸部５３の有する凸部放出部５５（凸部の有する第１球放出部）、左凹部５４ａの有する左凹部放出部５６ａ（凹部の有する第１球放出部）及び右凹部の有する右凹部放出部５６ｂ（凹部の有する第１球放出部）を避けるように配置されている。縁部５７は、凸部放出部５５、左凹部放出部５６ａ及び右凹部放出部５６ｂを有しない部分から、遊技球Ａ１が第１ステージ５１の前側に放出されるのを妨げるように構成されている。これにより、第１転動面５２上にて遊技球Ａ１を長時間転動させることができるため、遊技球Ａ１の転動を見て楽しむことが可能となる。
【００４５】
また、図３〜図６に示されるように、凸部放出部５５は、前側に行くに従って低くなる形状をなしている。凸部放出部５５は、前面側から見て凹状をなしており、前側に行くに従って幅広になっている。これにより、凸部放出部５５は、凸部５３に導かれた遊技球Ａ１を案内して、第２ステージ６１に放出しうるように構成されている。同様に、左凹部放出部５６ａ及び右凹部放出部５６ｂは、前側に行くに従って低くなる形状をなしている。左凹部放出部５６ａ及び右凹部放出部５６ｂは互いに同一の形状をなしている。左凹部放出部５６ａ及び右凹部放出部５６ｂは、前面側から見て凹状をなしており、前側に行くに従って幅広になっている。これにより、左凹部放出部５６ａが、左凹部５４ａに導かれた遊技球Ａ１を案内して、第２ステージ６１に放出しうるように構成されるとともに、右凹部放出部５６ｂが、右凹部５４ｂに導かれた遊技球Ａ１を案内して、第２ステージ６１に放出しうるように構成されている。
【００４６】
また、図３〜図６に示されるように、凸部放出部５５、左凹部放出部５６ａ及び右凹部放出部５６ｂは、左右方向に異なる位置において等間隔に設けられている。左凹部放出部５６ａ及び右凹部放出部５６ｂは、凸部放出部５５よりも幅広に設定されている。
【００４７】
よって、前記第１転動面５２上を左右方向に転動する遊技球Ａ１は、左凹部５４ａまたは右凹部５４ｂからそれらよりも高い位置にある凸部５３に登っていくに従って減速するとともに、凸部５３または第１転動面５２の左右両端部からそれらよりも低い位置にある左凹部５４ａや右凹部５４ｂに下っていくに従って加速する。そして、遊技球Ａ１の勢いがなくなると、遊技球Ａ１は、凸部放出部５５、左凹部放出部５６ａ及び右凹部放出部５６ｂのいずれか１つから前記第２ステージ６１に放出される。なお、遊技球Ａ１が凸部５３に導かれたとしても、遊技球Ａ１は、凸部５３よりも低い位置にある左凹部５４ａや右凹部５４ｂに向かって転動しやすい。しかも、遊技球Ａ１が、一旦左凹部５４ａや右凹部５４ｂに導かれると、それらよりも高い位置にある凸部５３に登っていくのは困難である。そのため、凸部放出部５５から第２ステージ６１に放出される確率は、左凹部放出部５６ａや右凹部放出部５６ｂから第２ステージ６１に放出される確率よりも低くなる。
【００４８】
図２，図５，図６に示されるように、第１ステージ５１の後側にある起立壁７１には、前記始動入賞口１９に入球した遊技球Ａ１の保留球数を表示する４個のＬＥＤ７２（発光体）が設けられている。各ＬＥＤ７２は第１ステージ５１の下側に配置されている。一方、第１ステージ５１は、無色透明の透光性部材（本実施形態では透光性樹脂）によって形成されている。このようにすれば、第１ステージ５１に導かれた遊技球Ａ１を、各ＬＥＤ７２によって第１ステージ５１の下側から照らすことが可能となる。その結果、遊技球Ａ１に光が反射したり拡散したりするようになる。しかも、各ＬＥＤ７２が、第１ステージ５１を介して雰囲気のあるぼやけた感じで発光する。そのため、見た目が綺麗で面白くなり、演出効果も高まる。なお、第１ステージ５１は、遊技球Ａ１が直接接触するものであるため、割れにくい樹脂によって形成されることが好ましい。
【００４９】
図３〜図６に示されるように、前記第２ステージ６１は、第１ステージ５１の下側に配置されており、前端縁が第１ステージ５１よりも前側に突出している。第２ステージ６１は、前記第１転動面５２よりも幅広の第２転動面６２を上部に有している。第２転動面６２は、前記凸部放出部５５、前記左凹部放出部５６ａ及び前記右凹部放出部５６ｂから放出された遊技球Ａ１や、前記遊技領域１３ａ内の前記釘１１（図１参照）に跳ね返って第２ステージ６１に導かれた遊技球Ａ１などを受けて転動させるように構成されている。
【００５０】
第２転動面６２は、その略中央に低く形成された長円形状の凹所６３を有しており、左右両側から同凹所６３に向かうに従って低くなっている。凹所６３の幅（遊技機前後方向における寸法）は、第２転動面６２の幅（遊技機前後方向における寸法）と略同一の広さに設定されている。凹所６３の深さは、３ｍｍ以上６ｍｍ以下の大きさに設定されている。第２転動面６２において凹所６３が設けられている箇所と設けられていない箇所との境界部分には、段差部６９(球動作変化部)が存在している。ここで、段差部６９は、凹所６３の底部に対して略垂直に延びる面と第２転動面６２とが交差する部分を示している。段差部６９は、左凹部放出部５６ａ及び右凹部放出部５６ｂから放出された遊技球Ａ１が衝突しうる位置に設けられている。即ち、段差部６９は、左凹部放出部５６ａ及び右凹部放出部５６ｂから放出された遊技球Ａ１の落下地点の近傍に設けられている。図４において、段差部６９の左端部は、左凹部放出部５６ａの下方かつ左凹部放出部５６ａに対してやや左側に位置しており、段差部６９の右端部は、右凹部放出部５６ｂの下方かつ右凹部放出部５６ｂに対してやや右側に位置している。段差部６９は、同段差部６９に衝突した遊技球Ａ１の動き（勢い、移動方向）に変化を与えうるものである。
【００５１】
図３，図４，図６に示されるように、凹所６３の底部は、左凹所６３ａ、中央凹所６３ｂ及び右凹所６３ｃからなっている。中央凹所６３ｂは、円形状をなす中央落下孔６４（第２球放出部）を有している。同様に、左凹所６３ａは、円形状をなす左落下孔６５ａ（第２球放出部）を有しており、右凹所６３ｃは、円形状をなす右落下孔６５ｂ（第２球放出部）を有している。よって、凹所６３の底部には、これら中央落下孔６４、左落下孔６５ａ及び右落下孔６５ｂの全てが配置されている。中央落下孔６４、左落下孔６５ａ及び右落下孔６５ｂは互いに同一の形状をなしている。各凹所６３ａ〜６３ｃは、それぞれ外周部から各落下孔６４，６５ａ，６５ｂに行くに従って低くなる湾曲形状をなしている。中央落下孔６４は、中央凹所６３ｂに導かれた遊技球Ａ１を案内して、前記遊技領域１３ａに放出しうるように構成されている。また、左落下孔６５ａは、左凹所６３ａに導かれた遊技球Ａ１を案内して、遊技領域１３ａに放出しうるように構成されている。右落下孔６５ｂは、右凹所６３ｃに導かれた遊技球Ａ１を案内して、遊技領域１３ａに放出しうるように構成されている。
【００５２】
また、図３，図４に示されるように、中央落下孔６４、左落下孔６５ａ及び右落下孔６５ｂは、左右方向に異なる位置において等間隔に設けられている。つまり、中央落下孔６４の左側に左落下孔６５ａが設けられ、右側に右落下孔６５ｂが設けられている。これら落下孔６４，６５ａ，６５ｂは、内径が遊技球Ａ１の直径よりもやや大きくなっている。また、落下孔６４，６５ａ，６５ｂの中心は、前記凸部放出部５５、前記左凹部放出部５６ａ及び前記右凹部放出部５６ｂに対して前後方向に異なった位置（本実施形態では後側）に設けられている。中央落下孔６４は、凸部放出部５５の下方かつ凸部放出部５５に対して左右方向に一致した位置に設けられている。一方、左落下孔６５ａは、左凹部放出部５６ａの下方かつ左凹部放出部５６ａに対して左右方向に異なる位置（本実施形態ではやや右側）に設けられている。右落下孔６５ｂは、右凹部放出部５６ｂの下方かつ右凹部放出部５６ｂに対して左右方向に異なる位置（本実施形態ではやや左側）に設けられている。よって、凸部放出部５５から放出された遊技球Ａ１は、左凹部放出部５６ａや右凹部放出部５６ｂから放出された遊技球Ａ１よりも高確率で中央落下孔６４に導かれる。
【００５３】
図４に示されるように、中央落下孔６４は、前記始動入賞口１９の真上位置に存在している。一方、左落下孔６５ａ及び右落下孔６５ｂは、始動入賞口１９の真上位置から左右方向に約３０ｍｍずつ離間した位置に存在している。このため、左落下孔６５ａ（右落下孔６５ｂ）と前記始動入賞口１９との距離は、中央落下孔６４と始動入賞口１９との距離よりも長くなる。よって、中央落下孔６４から遊技領域１３ａに放出される遊技球Ａ１は、左落下孔６５ａや右落下孔６５ｂから遊技領域１３ａに放出される遊技球Ａ１よりも高確率で始動入賞口１９に入賞しうる。
【００５４】
また、中央落下孔６４、左落下孔６５ａ及び右落下孔６５ｂの入口の外周部には、同落下孔６４，６５ａ，６５ｂの中心に行くに従って低くなる急傾斜７０が設けられている。急傾斜７０の外周縁は、各落下孔６４，６５ａ，６５ｂと同心円の関係にある。これにより、前記凸部放出部５５、前記左凹部放出部５６ａ及び前記右凹部放出部５６ｂから放出された遊技球Ａ１が各落下孔６４，６５ａ，６５ｂの入口の外周部に衝突した場合、遊技球Ａ１は、急傾斜７０に沿って螺旋状に回転しながら落下孔６４，６５ａ，６５ｂ内へと導かれる。そのため、遊技球Ａ１の動きをよりいっそう複雑化することができ、さらなる興趣の向上を図ることができる。なお、急傾斜７０の外周縁の形状は、楕円形状などの他の形状であってもよい。
【００５５】
図３〜図５に示されるように、第２ステージ６１の前端側には、上方向に突出する遊技球落下阻止部６８が設けられている。遊技球落下阻止部６８は、第２ステージ６１の前端から、遊技球Ａ１が遊技領域１３ａに落下するのを阻止するように構成されている。これにより、前記第２転動面６２上にて遊技球Ａ１を長時間転動させることができるため、遊技球Ａ１の転動を見て楽しむことが可能となる。
【００５６】
図３に示されるように、中央落下孔６４は、断面略矩形状をなす中央球経路６６に連通している。中央球経路６６の末端には、前記役物本体３２の外周部に突設された前記フランジ部３４の前面にて開口する中央排出口７３ａが設けられている。これにより、中央球経路６６は、中央落下孔６４内に落下した遊技球Ａ１を、中央排出口７３ａから遊技領域１３ａに排出しうるように構成されている。また、左落下孔６５ａは、中央球経路６６の左側に配置され、断面矩形状をなす左球経路６７ａに連通している。左球経路６７ａの末端には、フランジ部３４の前面にて開口する左排出口７３ｂが設けられている。これにより、左球経路６７ａは、左落下孔６５ａ内に落下した遊技球Ａ１を、左排出口７３ｂから遊技領域１３ａに排出しうるように構成されている。さらに、右落下孔６５ｂは、中央球経路６６の右側に配置され、断面矩形状をなする右球経路６７ｂに連通している。右球経路６７ｂの末端には、フランジ部３４の前面にて開口する右排出口７３ｃが設けられている。これにより、右球経路６７ｂは、右落下孔６５ｂ内に落下した遊技球Ａ１を、右排出口７３ｃから遊技領域１３ａに排出しうるように構成されている。左球経路６７ａ及び右球経路６７ｂは互いに同一の形状をなしている。また、これら球経路６６，６７ａ，６７ｂは、内径が遊技球Ａ１の直径よりもやや大きくなっている。
【００５７】
図５に示されるように、中央排出口７３ａは、前記始動入賞口１９の真上位置かつ始動入賞口１９の後側に存在している。一方、左排出口７３ｂ及び右排出口７３ｃは、始動入賞口１９の真上位置から左右方向に離間した位置かつ始動入賞口１９の後側に存在している。このため、左排出口７３ｂ（右排出口７３ｃ）と始動入賞口１９との左右方向の距離は、中央排出口７３ａと始動入賞口１９との左右方向の距離よりも長くなる。しかも、左排出口７３ｂ及び右排出口７３ｃは、中央排出口７３ａよりも高い位置に存在している。このため、左排出口７３ｂ（右排出口７３ｃ）と始動入賞口１９との上下方向の距離は、中央排出口７３ａと始動入賞口１９との上下方向の距離よりも長くなる。よって、中央排出口７３ａから遊技領域１３ａに放出される遊技球Ａ１は、左排出口７３ｂや右排出口７３ｃから遊技領域１３ａに放出される遊技球Ａ１よりも高確率で始動入賞口１９に入賞しうる。
【００５８】
次に、第１ステージ５１及び第２ステージ６１による遊技球Ａ１の振り分け方法を説明する。
【００５９】
図７に示されるように、遊技領域１３ａを転動流下する遊技球Ａ１がセンター役物３１の通過口入口４４に到達すると、遊技球Ａ１は、誘導部４３を経由して通過口出口４５から第１ステージ５１の第１転動面５２上に導かれる。
【００６０】
第１転動面５２上に導かれた遊技球Ａ１は、凸部５３、左凹部５４ａ及び右凹部５４ｂを通過するのに伴って加減速を繰り返しながら、第１転動面５２上を左右方向に往復移動する。そして、遊技球Ａ１の勢いがなくなると、遊技球Ａ１は、凸部放出部５５、左凹部放出部５６ａ及び右凹部放出部５６ｂのいずれか１つから第２ステージ６１の凹所６３などに放出される。また、第１ステージ５１の前端部には縁部５７が設けられているため、遊技球Ａ１は縁部５７がない箇所、即ちこれら放出部５５，５６ａ，５６ｂのいずれか１つから確実に放出される。
【００６１】
なお、第２ステージ６１が有する中央落下孔６４、左落下孔６５ａ及び右落下孔６５ｂのうち、高確率で始動入賞口１９に入球しうる中央落下孔６４に遊技球Ａ１が導かれる確率は、凸部放出部５５から遊技球Ａ１が放出されるか否かによって大きく相違する。具体的には、凸部放出部５５から放出された遊技球Ａ１は、左凹部放出部５６ａや右凹部放出部５６ｂから放出された遊技球Ａ１よりも高確率で中央落下孔６４に導かれる（図８参照）。その結果、遊技者は、凸部放出部５５から遊技球Ａ１が放出されるか否かということに強い関心を持つことになるため、興趣の向上を図ることができる。しかも、凸部放出部５５から放出された遊技球Ａ１が始動入賞口１９に入球するという期待が裏切られにくくなるため、興趣の低下を防止することができる。
【００６２】
一方、左凹部放出部５６ａや右凹部放出部５６ｂから第２ステージ６１に放出された遊技球Ａ１は、直接左落下孔６５ａや右落下孔６５ｂに導かれずに、第２転動面６２に落下する可能性がある。この場合、遊技球Ａ１は、第２転動面６２上を転動して凹所６３に導かれる。凹所６３に導かれた遊技球Ａ１は、左凹所６３ａ、中央凹所６３ｂ及び右凹所６３ｃを通過するのに伴って加減速を繰り返しながら、凹所６３を左右方向や前後方向などのあらゆる方向に移動する。そして、遊技球Ａ１の勢いがなくなると、遊技球Ａ１は、中央落下孔６４、左落下孔６５ａ及び右落下孔６５ｂのいずれか１つから確実に落下する。
【００６３】
また、左凹部放出部５６ａや右凹部放出部５６ｂから放出された遊技球Ａ１は、段差部６９に直接衝突する可能性もある（図７参照）。この場合、遊技球Ａ１は、移動方向が予想できない方向に変化することにより、第２転動面６２や凹所６３に導かれる。その後、遊技球Ａ１は、中央落下孔６４、左落下孔６５ａ及び右落下孔６５ｂのいずれか１つから落下する。
【００６４】
なお、図７に示されるように、遊技領域１３ａを転動流下する遊技球Ａ１が釘１１に跳ね返って第２転動面６２上に導かれた場合でも、遊技球Ａ１は第２転動面６２上を転動し、低い位置にある凹所６３に導かれる。その結果、遊技球Ａ１は、中央落下孔６４、左落下孔６５ａ及び右落下孔６５ｂのいずれか１つから落下する。
【００６５】
そして、中央落下孔６４、左落下孔６５ａ及び右落下孔６５ｂのいずれか１つに落下した遊技球Ａ１は、それぞれ対応する中央排出口７３ａ、左排出口７３ｂ及び右排出口７３ｃから遊技領域１３ａに放出される。なお、中央排出口７３ａから始動入賞口１９までの距離と、左排出口７３ｂ及び右排出口７３ｃから始動入賞口１９までの距離とは、互いに異なっている。そのため、放出された遊技球Ａ１が始動入賞口１９に入球する確率は、どの落下孔６４，６５ａ，６５ｂに落下するかによって大きく相違する。
【００６６】
例えば、始動入賞口１９へ入球する確率が相対的に高い凸部放出部５５から遊技球Ａ１が放出されると、殆どの場合、遊技球Ａ１は、始動入賞口１９へ入球する確率が相対的に高い中央落下孔６４に直接落下するか、中央凹所６３ｂ上を移動してから中央落下孔６４に落下する。そして、遊技球Ａ１は、中央排出口７３ａから放出され、高確率で始動入賞口１９に入球する。よって、凸部放出部５５から放出された遊技球Ａ１が始動入賞口１９に入球するという期待が裏切られにくくなるため、興趣の低下を防止することができる。
【００６７】
また、遊技球Ａ１は、多くの場合、凸部放出部５５からではなく、始動入賞口１９へ入球する確率が相対的に低い左凹部放出部５６ａや右凹部放出部５６ｂから放出される。この場合、遊技者は、遊技球Ａ１が始動入賞口１９へ入球するという期待を失いがちになる。
【００６８】
ところで、左凹部放出部５６ａや右凹部放出部５６ｂの真下に、左落下孔６５ａや右落下孔６５ｂは存在してしない。そのため、遊技球Ａ１は、直接左落下孔６５ａや右落下孔６５ｂに導かれずに、第２転動面６２に落下する可能性がある。この場合、遊技球Ａ１は、第２転動面６２上を転動して凹所６３に導かれる。そして、遊技球Ａ１は、左凹所６３ａ、中央凹所６３ｂ及び右凹所６３ｃなどを通過するのに伴って加減速を繰り返しながら、凹所６３内を左右方向や前後方向などのあらゆる方向に移動する。また、遊技球Ａ１は、段差部６９に直接衝突する可能性もある。この場合、遊技球Ａ１の移動方向が予想できない方向に変化するため、遊技球Ａ１は、第２転動面６２上を転動したり、凹所６３内を移動したりする。
【００６９】
このようにして、遊技球Ａ１が第２ステージ６１上を移動している間、遊技者は、もしかしたら始動入賞口１９へ入球する確率が相対的に高い中央落下孔６４に遊技球Ａ１が導かれるのではないかという期待を維持することができる。即ち、第２ステージ６１上を遊技球Ａ１が移動することに「敗者復活」の意味合いを持たせることができるため、飛躍的な興趣の向上を図ることができる。
【００７０】
従って、本実施形態によれば以下のような効果を得ることができる。
【００７１】
（１）本実施形態のパチンコ機１０では、遊技球Ａ１が、第１ステージ５１だけでなく、第２ステージ６１によっても振り分けられることにより、遊技領域１３ａに放出される。なお、中央落下孔６４、左落下孔６５ａ及び右落下孔６５ｂには、始動入賞口１９へ入球する確率が高いものと低いものとが存在する。ゆえに、遊技球Ａ１が始動入賞口１９へ入球する確率は、遊技球Ａ１がどの落下孔６４，６５ａ，６５ｂから放出されるかによって異なる。よって、遊技球Ａ１が始動入賞口１９へ入球する確率は、第１ステージ５１及び第２ステージ６１でそれぞれ振り分けが行われる度に変更される可能性がある。つまり、遊技球Ａ１が始動入賞口１９へ入球する確率を決定する機会が複数回あるため、遊技球Ａ１の動きに変化をつけることができ、その動きが複雑化される。
【００７２】
しかも、始動入賞口１９へ入球する確率が相対的に低い左凹部放出部５６ａや右凹部放出部５６ｂから遊技球Ａ１が放出された場合でも、第２ステージ６１にて遊技球Ａ１が再度振り分けられることによって、始動入賞口１９へ入球する確率が相対的に高い中央落下孔６４に導かれる可能性がある。そのため、始動入賞口１９に入球する見込みの低い第１球放出部から遊技球Ａ１が放出された場合でも、始動入賞口１９への遊技球Ａ１の入球を遊技者に期待させることができる。
【００７３】
従って、遊技者は第１ステージ５１上及び第２ステージ６１上での遊技球Ａ１の動きに興味を持つことになるため、遊技者に新鮮味を与え続けることができ、興趣の向上を図ることができる。
【００７４】
（２）本実施形態では、遊技球Ａ１の振り分けは、所定形状の第１ステージ５１及び第２ステージ６１を組み合わせることによって行われている。よって、例えば電気的な構成を用いて遊技球Ａ１の振り分けを行わなくても、興趣の向上を図ることができる。また、遊技球Ａ１の振り分けに電力を必要としないため、パチンコ機１０の省電力化を図ることができる。逆に言えば、節約できた電力をパチンコ機１０の装飾のために利用することができる。
【００７５】
（３）本実施形態では、第１ステージ５１は透光性部材によって形成されている。よって、始動入賞口１９に入球した遊技球Ａ１の保留球数を表示するためのＬＥＤ７２などを、第１ステージ５１の裏側に配置することができるため、センター役物３１のスペースを有効利用することができる。また、ＬＥＤ７２を配置した場合、動く遊技球Ａ１に光が当たるので、見た目が綺麗で面白くなり、演出効果も高まる。
【００７６】
（４）本実施形態では、第１ステージ５１及び第２ステージ６１が、遊技者の視点が集まりやすい図柄表示装置１８の近傍に配置されている。そのため、図柄表示装置１８にて行われる図柄組合せゲームと、第１ステージ５１及び第２ステージ６１での遊技球Ａ１の転動とで、さらなる興趣の向上を図ることができる。
【００７７】
なお、本発明の実施形態は以下のように変更してもよい。
【００７８】
・上記実施形態では、左凹所６３ａ、中央凹所６３ｂ及び右凹所６３ｃは、それぞれ外周部から各落下孔６４，６５ａ，６５ｂに行くに従って低くなる湾曲形状をなしていた。しかし、図９，図１０に示されるように、左凹所６３ａ、中央凹所６３ｂ及び右凹所６３ｃを、互いに異なる傾斜の平面に変更し、凹所６３を、左凹所６３ａ（または右凹所６３ｃ）から中央凹所６３ｂに行くに従って低くなるように構成してもよい。
【００７９】
このようにすれば、始動入賞口１９へ入球する確率が相対的に低い左凹部放出部５６ａ及び右凹部放出部５６ｂから遊技球Ａ１が放出された場合でも、始動入賞口１９へ入球する確率が相対的に高い中央落下孔６４に遊技球Ａ１が導かれる可能性がよりいっそう高くなる。よって、始動入賞口１９に入球する見込みの低い第１球放出部から遊技球Ａ１が放出された場合でも、遊技球Ａ１が中央落下孔６４から落下して始動入賞口１９に入球するのではないかという期待を高めることができる。即ち、「敗者復活」の意味合いを強めることができるため、さらなる興趣の向上を図ることができる。
【００８０】
・上記実施形態では、第１ステージ５１及び第２ステージ６１がそれぞれ１段ずつ設けられていた。しかし、第１ステージ５１は、上下段状に複数設けられていてもよい。このようにすれば、遊技球Ａ１の動きがよりいっそう複雑化されるため、さらなる興趣の向上を図ることができる。
【００８１】
・上記実施形態では、第１ステージ５１は、凸部５３、左凹部５４ａ及び右凹部５４ｂからなる起伏形状をなしていたが、凸部５３、左凹部５４ａ及び右凹部５４ｂを有しない平面形状をなしていてもよいし、別の形状をなしてもよい。
【００８２】
・上記実施形態では、第１ステージ５１を形成する透光性部材として、無色透明の透光性樹脂が用いられていたが、有色半透明なもの、即ち青色、黄色、赤色などに着色されたものが用いられていてもよい。ただし、ＬＥＤ７２が発光しているのを確認しやすくするために、第１ステージ５１の色は、ＬＥＤ７２の色とは異なることが好ましい。また、第１ステージ５１は、透光性部材とは異なるどのような部材によって形成されていてもよい。
【００８３】
・上記実施形態では、凸部放出部５５は、中央落下孔６４に対して左右方向に一致した位置に設けられていたが、左右方向に異なる位置に設けられていてもよい。また、左凹部放出部５６ａ及び右凹部放出部５６ｂは、それぞれ落下孔６５ａ，６５ｂに対して左右方向に異なる位置に設けられていたが、左右方向に一致した位置に設けられていてもよい。即ち、複数の落下孔６４，６５ａ，６５ｂのうちいずれか１つと、複数の放出部５５，５６ａ，５６ｂのうちいずれか１つとが左右方向に一致していればよい。
【００８４】
・上記実施形態では、遊技球Ａ１の動きに変化を与えうる球動作変化部として、段差部６９が設けられていた。しかし、第２転動面６２上に設けた突起、突条や、遊技球Ａ１を吸引する磁石などを球動作変化部として用いてもよい。
【００８５】
・上記実施形態において、中央球経路６６、左球経路６７ａ及び右球経路６７ｂを途中で分岐させたり、これら球経路６６，６７ａ，６７ｂを他の落下孔６４，６５ａ，６５ｂに連通する球経路６６，６７ａ，６７ｂと途中で合流させてもよい。このようにすれば、遊技球Ａ１の振り分けを第２ステージ６１で行った後の段階でもう１度行うことができる。なお、この場合、始動入賞口１９へ入球する確率が相対的に低い左球経路６７ａや右球経路６７ｂを、始動入賞口１９へ入球する確率が相対的に高い中央球経路６６に分岐させる構成や、球経路６７ａ，６７ｂを中央球経路６６に合流させる構成であることが好ましい。このようにすれば、始動入賞口１９へ入球する確率が相対的に低い左球経路６７ａや右球経路６７ｂを遊技球Ａ１が通過している場合でも、始動入賞口１９へ入球する確率が相対的に高い中央球経路６６に遊技球Ａ１が導かれる可能性があるため、始動入賞口１９への遊技球Ａ１の入球を遊技者に期待させることができる。
【００８６】
・上記実施形態では、中央落下孔６４から放出された遊技球Ａ１が高確率で入球しうる入賞口として、始動入賞口１９が用いられていた。しかし、大入賞口２０や普通入賞口２３ａ，２３ｂ，２３ｃ，２３ｄなどを、中央落下孔６４から放出された遊技球Ａ１が高確率で入球しうる入賞口として用いてもよい。
【００８７】
次に、特許請求の範囲に記載された技術的思想のほかに、前述した実施形態によって把握される技術的思想を以下に列挙する。
【００８８】
（１）請求項１乃至６のいずれか１項において、前記第２球放出部は、球経路に連通する落下孔であり、前記球経路を通過する遊技球は、前記球経路の末端に設けられた排出口から前記遊技領域に排出されること。よって、技術的思想（１）によれば、球経路の形状及び排出口の位置を変更することにより、落下孔を通過した遊技球を遊技領域の任意の位置で排出することができる。
【００８９】
（２）技術的思想（１）において、前記落下孔の入口の外周部に、前記落下孔の中心に行くに従って低くなる急傾斜が設けられていること。よって、技術的思想（２）によれば、第１球放出部から放出された遊技球が落下孔の入口の外周部に衝突した場合、遊技球が急傾斜に沿って螺旋状に回転しながら落下孔内へと導かれる。そのため、遊技球の動きをよりいっそう複雑化することができ、さらなる興趣の向上を図ることができる。
【００９０】
（３）請求項１乃至６、技術的思想（１），（２）のいずれか１つにおいて、前記第１ステージは透光性部材によって形成されること。よって、技術的思想（３）によれば、始動入賞口への遊技球の入球数を表示するための発光体などを、第１ステージの裏側に配置することができるため、装飾部材のスペースを有効利用することができる。また、発光体を配置した場合、動く遊技球に光が当たるので、見た目が綺麗で面白くなり、演出効果も高まる。
【００９１】
（４）請求項１乃至６、技術的思想（１）乃至（３）のいずれか１つにおいて、前記第１球放出部と前記第２球放出部とが前後方向に異なった位置に設けられていること。
【００９２】
（５）請求項１乃至６、技術的思想（１）乃至（４）のいずれか１つにおいて、前記第１ステージの前端部に上方向に突出する縁部を設け、前記縁部を前記第１球放出部を避けるように配置したこと。よって、技術的思想（５）によれば、第１球放出部を有しない部分からの遊技球の放出が防止されるため、遊技球が確実に第１球放出部に振り分けられる。
【００９３】
（６）請求項５において、前記球動作変化部は、前記第２転動面において前記凹所が設けられている箇所と設けられていない箇所との境界部分に存在する段差部であること。
【００９４】
（７）遊技盤上に遊技球が転動流下する遊技領域を区画形成し、前記遊技領域に入賞口を配置し、前記入賞口の上方に装飾部材を配置した遊技機において、前記装飾部材は、前記遊技領域から誘導された遊技球を受けて転動させる第１転動面をその上部に有し、前記遊技球を放出する複数の第１球放出部を左右方向に異なる位置に有する第１ステージと、前記第１ステージの下方に配置され、前記第１球放出部から放出された遊技球を受けて転動させる第２転動面をその上部に有し、前記遊技球を前記遊技領域に放出する複数の第２球放出部を左右方向に異なる位置に有する第２ステージとを備え、前記複数の第２球放出部のうちの少なくとも１つの第２球放出部から放出された遊技球は、他の第２球放出部から放出された遊技球よりも高確率で前記入賞口に入球しうるとともに、前記複数の第１球放出部のうち少なくとも１つの第１球放出部から放出された遊技球は、前記高確率で前記入賞口に入球しうる第２球放出部に対して、他の第１球放出部から放出された遊技球よりも高確率で導かれることを特徴とする遊技機。
【００９５】
（８）遊技球が転動する第１転動面をその上部に有し、前記遊技球を放出する複数の第１球放出部を左右方向に異なる位置に有する第１ステージと、前記第１ステージの下方に配置され、前記第１球放出部から放出された遊技球を受けて転動させる第２転動面をその上部に有し、前記遊技球を放出する複数の第２球放出部を左右方向に異なる位置に有する第２ステージとを備えることを特徴とする遊技機用装飾部材。
【図面の簡単な説明】
【００９６】
【図１】本実施形態におけるパチンコ機を示す正面図。
【図２】センター役物の正面図。
【図３】センター役物の斜視図。
【図４】第１球放出部（凸部放出部、左凹部放出部、右凹部放出部）と第２球放出部（中央落下孔、左落下孔、右落下孔）との位置関係を示す説明図。
【図５】センター役物と始動入賞口との位置関係を示す説明図。
【図６】第１ステージ及び第２ステージなどを示す正面図。
【図７】遊技球の流れを示す説明図。
【図８】遊技球の流れを示す説明図。
【図９】他の実施形態におけるセンター役物の断面図。
【図１０】図９のＣの部分を拡大した図。
【符号の説明】
【００９７】
１０…遊技機としてのパチンコ機
１３…遊技盤
１３ａ…遊技領域
１９…入賞口としての始動入賞口
３１…装飾部材としてのセンター役物
５１…第１ステージ
５２…第１転動面
５３…凸部
５４ａ…凹部としての左凹部
５４ｂ…凹部としての右凹部
５５…凸部の有する第１球放出部としての凸部放出部
５６ａ…凹部の有する第１球放出部としての左凹部放出部
５６ｂ…凹部の有する第１球放出部としての右凹部放出部
６１…第２ステージ
６２…第２転動面
６３…凹所
６４…第２球放出部としての中央落下孔
６５ａ…第２球放出部としての左落下孔
６５ｂ…第２球放出部としての右落下孔
６９…球動作変化部としての段差部
Ａ１…遊技球
【図１】
0004681240.tif 000002
【図２】
0004681240.tif 000003
【図３】
0004681240.tif 000004
【図４】
0004681240.tif 000005
【図５】
0004681240.tif 000006
【図６】
0004681240.tif 000007
【図７】
0004681240.tif 000008
【図８】
0004681240.tif 000009
【図９】
0004681240.tif 000010
【図１０】
0004681240.tif 000011